(57)【要約】【課題】  静電容量検出型の入力装置を用いて、相対座標による入力と絶対座標による入力の双方を行えるようにする。【解決手段】  筐体２に表示パネルを供えた表示領域３と、第１の操作領域６および第２の操作領域７が設けられている。第１の操作領域６と第２の操作領域７の内側には、静電容量検出型のセンサ１０が設けられている。このセンサ１０は、相対座標出力を得るための第１の領域１２と絶対座標出力を得るための第２の領域１３とに区画されている。第２の操作領域７に指５０を触れてスライドさせることにより、文字入力操作が可能となり、第１の操作領域６に指を触れてスライドさせることにより、メニュー選択操作などが可能になる。【選択図】図７
2007164470.tif 000002
【特許請求の範囲】
【請求項１】
基板にＸ方向とＹ方向に延びる複数の電極が設けられ、電極間の静電容量の変化を検出する入力装置において、
前記基板が、少なくとも第１の領域と第２の領域に区画されており、
前記第１の領域において、静電容量が変化した操作箇所が移動したことを検知したときには、前記操作箇所の移動検出信号に基づいて相対座標出力を生成し、前記第２の領域において、前記操作箇所が検出され、または前記操作箇所が移動したことを検知したときには、前記操作箇所の検出信号に基づいて絶対座標出力を生成するデータ処理部が設けられていることを特徴とする入力装置。
【請求項２】
前記相対座標出力は、前記操作箇所が移動していることおよびその移動方向を示す信号であり、前記絶対座標出力は、前記操作箇所のＸ−Ｙ座標上の位置を示す信号である請求項１記載の入力装置。
【請求項３】
前記相対座標出力は、前記操作箇所の移動量を累積することで、前記操作箇所の移動距離を示す信号である請求項２記載の入力装置。
【請求項４】
請求項１ないし３のいずれかに記載の入力装置と、表示パネルと、前記入力装置から与えられる相対座標出力および絶対座標出力を処理して、前記表示パネルの表示内容を制御する中央制御処理部とが設けられていることを特徴とする電子機器。
【請求項５】
前記中央制御処理部に前記相対座標出力が与えられたときに、前記表示パネルの画面に表示されている指示表示が、画面上のいずれかの位置を基準として前記操作箇所の移動方向に向けて移動させられる請求項４記載の電子機器。
【請求項６】
前記中央制御処理部に前記絶対座標出力が与えられたときに、前記表示パネルの画面の表示が、前記操作箇所の移動座標に対応して画面上においてＸ−Ｙ座標上で移動させられる請求項４記載の電子機器。
【請求項７】
前記中央制御処理部では、前記絶対座標出力が与えられたときに、前記操作箇所のＸ−Ｙ座標上の位置に応じたスイッチ入力と認識する請求項４または５記載の電子機器。
【発明の詳細な説明】
【技術分野】
【０００１】
本発明は、静電容量の変化を検出する入力装置、および前記入力装置を使用した携帯機器などに最適な電子機器に関する。
【背景技術】
【０００２】
以下の特許文献１などに記載のように、パッド式の入力装置として静電容量の変化を検出するものがある。この静電容量検出型の入力装置は、樹脂フィルムなどの基板の一方の面に、Ｙ方向に平行に延びる複数のＸ電極が設けられ、他方の面に、Ｘ方向に延びる複数のＹ電極が設けられている。また隣り合うＸ電極の間、または隣り合うＹ電極の間にコモン電極である検出電極が設けられている。
【０００３】
この入力装置は、Ｘ電極とＹ電極に順番に電圧が印加され、検出電極から検出出力が得られる。入力装置に導電体である指が近接すると、指が近接した箇所において、Ｘ電極またはＹ電極と検出電極との間の静電容量に加えて、指と検出電極との間の静電容量が発生し、結果として静電容量が低下する。このときの信号の変化が検出電極で検出される。
【特許文献１】特開２００５−１８２８３７号公報
【発明の開示】
【発明が解決しようとする課題】
【０００４】
前記静電容量検出型の入力装置の動作原理では、指の操作箇所を絶対座標データ、すなわちＸ−Ｙ座標上の位置データとして検出することが可能である。しかし、パーソナルコンピュータ（ＰＣ）に前記入力装置が搭載されている場合には、ＰＣにインストールされたドライバーソフトにおいて、前記絶対座標データが、マウスの出力と同等の相対座標出力、すなわち操作箇所が移動していることおよびその移動方向を表す信号出力に変換されてＰＣのオペレーションシステム（ＯＳ）に与えられる。
【０００５】
そのため、前記入力装置を使用して、画面上のポインタ（指示表示）を移動させるなどの操作を行う場合には、マウスによる入力操作と同様に相対座標の入力モードで動作させることができる。しかし、例えば画面上に字を描く操作を行おうとするときには、前記相対座標出力が基本であるため、この相対座標出力と入力装置に併用されている釦の操作出力とを組み合わせないと、画面に字を描くことができない。
【０００６】
しかも、ポインタを移動させる操作と、字を描く操作とを同じ入力装置で行おうとすると、アプリケーションソフトの起動に連動させるなどして、ドライバーソフトにおいて、入力装置の動作モードをポインタを移動させるための相対座標の入力モードで処理するか、字を描くために相対座標出力と釦の操作出力を組み合わせた絶対座標の入力モードであるかを識別して切換える必要がある。そのため、画面上のポインタを所定箇所に移動させて入力操作を行った後に、直ちに字を描く入力を行うような操作はきわめて煩雑であった。
【０００７】
本発明は上記従来の課題を解決するものであり、共通の入力装置を使用して、相対座標の入力と絶対座標の入力の双方ができることを目的としている。また、前記入力装置を使用した電子機器を提供することを目的としている。
【課題を解決するための手段】
【０００８】
本発明は、基板にＸ方向とＹ方向に延びる複数の電極が設けられ、電極間の静電容量の変化を検出する入力装置において、
前記基板が、少なくとも第１の領域と第２の領域に区画されており、
前記第１の領域において、静電容量が変化した操作箇所が移動したことを検知したときには、前記操作箇所の移動検出信号に基づいて相対座標出力を生成し、前記第２の領域において、前記操作箇所が検出され、または前記操作箇所が移動したことを検知したときには、前記操作箇所の検出信号に基づいて絶対座標出力を生成するデータ処理部が設けられていることを特徴とするものである。
【０００９】
本発明の入力装置では、区画された第１の領域を操作することにより、相対座標出力を得ることができ、第２の領域を操作することにより絶対座標出力を得ることができる。
【００１０】
本発明の前記相対座標出力は、前記操作箇所が移動していることおよびその移動方向を示す信号であり、前記絶対座標出力は、前記操作箇所のＸ−Ｙ座標上の位置を示す信号である。
【００１１】
さらに、前記相対座標出力として、前記操作箇所の移動量を累積することで、前記操作箇所の移動距離を示す信号を得るものであってもよい。
【００１２】
本発明の電子機器は、前記入力装置と、表示パネルと、前記入力装置から与えられる相対座標出力および絶対座標出力を処理して、前記表示パネルの表示内容を制御する中央制御処理部とが設けられていることを特徴とするものである。
【００１３】
本発明の電子機器では、操作面に前記入力装置が設けられており、入力装置の第１の領域を操作することで相対座標の操作入力ができ、第２の領域を操作することで字を描くなどの絶対座標の操作入力ができる。
【００１４】
例えば、本発明の電子機器は、前記中央制御処理部に前記相対座標出力が与えられたときに、前記表示パネルの画面に表示されている指示表示が、画面上のいずれかの位置を基準として前記操作箇所の移動方向に向けて移動させられるものである。
【００１５】
また、本発明の電子機器は、前記中央制御処理部に前記絶対座標出力が与えられたときに、前記表示パネルの画面の表示が、前記操作箇所の移動座標に対応して画面上においてＸ−Ｙ座標上で移動させられるものである。
【００１６】
あるいは、本発明の電子機器は、前記中央制御処理部では、前記絶対座標出力が与えられたときに、前記操作箇所のＸ−Ｙ座標上の位置に応じたスイッチ入力と認識するものである。
【発明の効果】
【００１７】
本発明の入力装置およびこの入力装置を使用した電子機器では、同じ入力装置を用いて、相対座標の入力と絶対座標の入力とが可能となる。
【発明を実施するための最良の形態】
【００１８】
図１は本発明の実施の形態の電子機器を示す正面図、図２は図１の電子機器をＩＩ−ＩＩ線で切断した部分断面図、図３は入力装置の構造を示す説明図、図４は電子機器の回路ブロック図、図５は入力装置の処理動作のフローチャート、図６と図７は電子機器の操作例を示す正面図である。
【００１９】
図１と図２に示す電子機器１は、小型で携帯可能なものであり、例えば、携帯電話、携帯用のゲーム装置、ハードディスク装置やフラッシュメモリを内蔵した携帯用のオーディオ装置、または携帯用の小型のパーソナルコンピュータなどである。
【００２０】
電子機器１は、合成樹脂製の筐体２を有しており、この筐体２の内部に前記各装置を構成する回路基板やその他の機構が内蔵されている。図２に示すように、筐体２の前面２ａはほぼ平面である。前面２ａの縦方向（Ｙ方向）の上方が表示領域３である。図２に示すように、表示領域３では、筐体２に透明なカバー板４が取り付けられており、このカバー板４の表面は前記前面２ａと同一面である。カバー板４は、透明な樹脂板あるいはガラス板である。表示領域３では、カバー板４の内側に表示パネル５が設けられている。この表示パネル５は、表示領域３に静止画像および動画像を任意に表示可能なものであり、例えば液晶表示パネルやプラズマ表示パネルまたはＬＥＤ表示パネルなどである。
【００２１】
筐体２の前面２ａでは、前記表示領域３の縦方向での下側に操作領域が設けられている。この操作領域は、表示領域３の下に位置する第１の操作領域６と、それよりも下側に位置する第２の動作領域７を有している。この実施の形態では、第２の操作領域７が第１の操作領域６よりも広い。ただし、第１の操作領域６が第２の操作領域７よりも広くてもよい。
【００２２】
図２に示すように、筐体２の前面２ａの内側には、筐体２の内面に密着して固定されたセンサ１０が設けられている。センサ１０は、静電容量の変化を検出するものであり、図３に示すように、センサ１０は１枚の基板１１を有している。この基板１１は、前記第１の操作領域６と前記第２の操作領域７の双方にまたがって配置されている。基板１１は、誘電体であり、例えば樹脂フィルムや薄い合成樹脂の硬い板である。
【００２３】
図３に示すように、センサ１０は、基板１１の縦方向（Ｙ方向）の上方が第１の領域１２で、それよりも下が第２の領域１３である。センサ１０は、その表面に導電体である指が近接したときのその操作箇所の静電容量の変化を、基板１１上のＸ−Ｙ座標位置として検出できるものである。したがって、センサ１０は、前記第１の領域１２と第２の領域１３とで、その構造上で区画されているものではなく、後に説明するデータ処理部において、操作箇所の座標データが予め決められた前記第１の領域１２内の位置データであることが検出されたときに、第１の領域１２が操作されたものと認識し、操作箇所の座標データが予め決められた前記第２の領域１３内の位置データであることが検出されたときに、第２の領域１３が操作されたものと認識する。
【００２４】
基板１１の一方の面には、Ｘ電極Ｘ１，Ｘ２，Ｘ３，Ｘ４，Ｘ５が形成されている。このＸ電極は縦方向（Ｙ方向）に直線的に延び且つ互いに平行である。それぞれのＸ電極の横方向（Ｘ方向）のピッチおよび間隔は一定である。基板１１の前記一方の面には、コモン電極である検出電極Ｓ１，Ｓ２，Ｓ３，Ｓ４，Ｓ５，Ｓ６が設けられている。この検出電極は、縦方向（Ｙ方向）に直接的に且つ互いに平行に延びており、全てのＸ電極と前記検出電極も互いに平行であり、Ｘ電極と検出電極との横方向（Ｘ方向）のピッチおよび間隔は、各箇所において一定である。
【００２５】
基板１１の他方の面には、Ｙ電極Ｙ１，Ｙ２，Ｙ３，Ｙ４，Ｙ５，Ｙ６，Ｙ７，Ｙ８，Ｙ９が設けられている。このＹ電極は、横方向（Ｘ方向）へ直線的に且つ互いに平行に延びている。また、縦方向（Ｙ方向）でのＹ電極のピッチおよび間隔は、第１の領域１２と第２の領域１３の区画範囲にかかわりなく、一定である。
【００２６】
それぞれのＸ電極Ｘ１ないしＸ５は、Ｘドライバー１５に接続されており、それぞれのＹ電極Ｙ１ないしＹ９は、Ｙドライバー１６に接続されている。また、それぞれの検出電極Ｓ１ないしＳ６は、共通のラインとなって検出部１７に接続されている。Ｘドライバー１５とＹドライバー１６および検出部１７は、ＩＣ化されたセンサ制御部２０の内部に収納されている。
【００２７】
前記センサ１０では、Ｘドライバー１５によって、Ｘ電極Ｘ１，Ｘ２，Ｘ３，Ｘ４，Ｘ５に時分割で順番に電圧が印加され、Ｘ電極Ｘ１，Ｘ２，Ｘ３，Ｘ４，Ｘ５に順番に電荷が与えられる。これと時刻を異ならせて、Ｙドライバー１６によって、Ｙ電極Ｙ１，Ｙ２，Ｙ３，Ｙ４，Ｙ５，Ｙ６，Ｙ７，Ｙ８，Ｙ９に時分割で順番に電圧が印加される。
【００２８】
センサ１０の基板１１の前方に位置する筐体２の前面２ａを導電体である指が触れると、指が触れた操作箇所およびその周辺では、Ｘ電極と検出電極との間の静電容量に加えて、さらにＸ電極と指および指と検出電極との間の静電容量が発生し、操作箇所においてＸ電極と検出電極間の静電容量が低下する。よって、Ｘ電極Ｘ１ないしＸ５のうちのどのＸ電極に電圧が印加されているかのタイミングと、検出電極から検出部１７に与えられる検出出力とで、静電容量が低下した操作箇所のＸ座標位置を検出できる。これはＹ電極と検出電極との関係においても同じであり、Ｙ電極Ｙ１ないしＹ９のうちのどのＹ電極に電圧が印加されているかのタイミングと、検出電極から検出部１７に与えられる検出出力とで、静電容量が低下した操作箇所のＹ座標位置を検出できる。
【００２９】
Ｘ−Ｙ座標の検出位置は、例えば隣り合うＸ電極間が１２８ポジションの分解能で検出され、隣り合うＹ電極間が１２８ポジションの分解能で検出される。
【００３０】
図４に示すように、電子機器１では、前記センサ制御部２０内の検出部１７で検出されたＸ−Ｙ座標上での操作箇所の検出信号がデータ処理部２１に与えられる。データ処理部２１では、前記検出信号に基づいて、基板１１上での操作箇所のＸ−Ｙ座標上の位置が算出され、検出された座標に基づいて、第１の領域１２が操作されたか第２の領域１３が操作されたかを識別する。そして、第１の領域１２が操作されたと判断したときには、センサ制御部２０から受け取った検出信号から相対座標出力を算出して生成する。また第２の領域１３が操作されたと判断したときには、センサ制御部２０から受け取った検出信号から絶対座標出力を算出して生成する。
【００３１】
データ処理部２１で生成された相対座標出力および絶対座標出力は、中央制御処理部（ＣＰＵ）２２に与えられる。中央制御処理部２２では、データ処理部２１から与えられた相対座標出力または絶対座標出力に基づいて、所定のデータ処理を行うとともに、表示パネルドライバー２３を制御して、表示パネル５の画面上の表示形態を制御する。
【００３２】
本実施の形態では、基板１１を有するセンサ１０と、センサ制御部２０およびデータ処理部２１とで、入力装置が構成されている。
【００３３】
図５は、データ処理部２１における制御フローを示している。図５に付された「Ｓ」は「ステップ」を意味している。
【００３４】
データ処理部２１では、Ｓ１（ステップ１）において、センサ１０が操作箇所を検出したかを判断し、センサ１０が操作箇所を検出したと判断したときには、Ｓ２において、Ｘ−Ｙ座標上の操作箇所が、第１の領域１２にあるか第２の領域１３にあるかを判断する。操作箇所が第１の領域１２にあると判断すると、Ｓ３において、操作箇所が移動したか否かを判断する。操作箇所が移動したと判断したときに、Ｓ４において、操作箇所の移動方向がＸ方向のプラス側（例えば右側）であること、またはマイナス側（例えば左側）であるかを算出し、さらにその移動方向がＹ方向のプラス側（例えば上側）であること、またはマイナス側（例えば下側）ことを算出して相対座標出力を生成し、Ｓ５において相対座標出力が中央制御処理部２２に与えられる。
【００３５】
Ｓ２において、操作箇所が第２の領域１３であると判断したときには、Ｓ６において、センサ制御部２０から与えられた検出信号を基に、操作箇所のＸ−Ｙ座標上の位置を算出し、また操作箇所が移動したときは、その移動位置のＸ−Ｙ座標上の位置を算出して絶対座標出力を得る。そして、Ｓ７において、絶対座標出力が中央制御処理部２２に与えられる。
【００３６】
データ処理部２１で生成される「相対座標出力」とは、図１に示す電子機器１の第１の操作領域６に指が触れて、図３に示す基板１１の第１の領域１２での電極間の静電容量が変化し、しかも静電容量が変化した操作箇所が移動したときに、Ｘ方向へ移動していることを示す信号と、その移動方向がプラス側（例えば右側）であるかマイナス側（例えば左側）であるかを示す信号、およびＹ方向へ移動していることを示す信号と、その移動方向がプラス側（例えば上側）であるかマイナス側（例えば下側）であるかを示す信号であり、例えば３バイト構成である。中央制御処理部２２では、前記相対座標出力を一定の時間間隔の検出タイミングで検出し、各検出タイミングにおいて、操作箇所がＸ方向またはＹ方向へ移動していることを示す信号が得られたときには、その移動距離を一定値ごとに累積して加算し、操作箇所のＸ方向への移動量とＹ方向の移動量を認識する。
【００３７】
または、データ処理部２１における図５のＳ４の処理において、操作箇所がＸ方向へ移動した信号とＹ方向へ移動した信号が継続しているときに、その移動距離を一定値を累積して加算することにより算出し、相対座標出力に、Ｘ方向とＹ方向への移動距離に関する信号を含ませて、中央制御処理部２２に与えることも可能である。
【００３８】
データ処理部２１で生成される「絶対座標出力」とは、電子機器１の第２の操作領域７に指が触れて、センサ１０の第２の領域１３で電極間の静電容量が変化したとき、センサ制御部２０から与えられる検出信号に基づいて、操作箇所のＸ−Ｙ座標上の位置を算出することにより得られる。前記「絶対座標出力」は、操作箇所のＸ座標上での位置データとＹ座標上での位置データを含むものであり、例えば４バイト以上のデータである。データ処理部２１から中央制御処理部２２に対し、操作箇所の位置データが一定の時間間隔で与えられ、中央制御処理部２２では、間欠的に与えられる前記位置データから、操作箇所の移動軌跡が算出される。
【００３９】
あるいは、データ処理部２１において、操作箇所の位置と時間ごと変化する移動量とを含むデータを生成し、このデータが「絶対座標出力」として中央制御処理部２２に与えられるものであってもよい。
【００４０】
図１に示すように、筐体２の前面２ａでは、第１の操作領域６に相対座標の入力領域であることを示すエリア表示３１が設けられている。このエリア表示３１は、筐体２の前面２ａに印刷などの手段で付されていてもよいし、エリア表示の外縁で筐体２の前面がリブ上に突出していてもよい。または、エリア表示３１は、筐体２の前面２ａに、摩擦係数の低い樹脂層が積層されて形成されていてもよい。また、前記エリア表示３１内に指のスライド方向の指針となる操作ガイド表示３２が設けられていてもよい。
【００４１】
筐体２の前面２ａの第２の操作領域７には、複数のキーマーク３３が設けられている。このキーマーク３３は、筐体２の前面２ａに印刷などで形成されている。なお、このキーマーク３３の代わりに薄い押し釦を設け、この押し釦で薄型のスイッチが動作させられるものであってもよい。
【００４２】
図６と図７は、電子機器１の操作とそのときの処理動作および表示領域３での表示内容の例を示すものである。
【００４３】
図６は、電子機器１がメニュー入力モードに設定された状態を示している。このメニュー入力モードは、いずれかのキーマーク３３に指を触れることなどにより設定される。メニュー入力モードが設定されると、表示パネル５の表示動作によって、表示領域３にメニュー画面４１が表示される。このメニュー画面４１は、複数種類の操作処理メニューが縦横に配列するように区画されて表示されているものであり、またメニューを選択するためのポインタ表示４２が表示されている。
【００４４】
メニュー入力モードが起動した直後でのメニュー画面４１では、ポインタ表示４２がメニュー画面４１の中央の区画内に位置している。指５０を第１の操作領域６のエリア表示３１内に触れて、指５０を操作ガイド表示３２に沿ってスライドさせると、指５０の操作箇所の移動情報が、データ処理部２１から中央制御処理部２２に対して相対座標出力として与えられる。中央制御処理部２２では、前記相対座標出力に基づく操作箇所の移動方向および移動距離の情報を取得するとともに、その情報に基づいて表示パネルドライバー２３を制御する。その結果、表示領域３では、指５０のスライド移動方向およびその距離に応じて、ポインタ表示４２が、メニュー画面４１の選択された区画内に移動させられる。指５０をエリア表示３１から離すと、ポインタ表示４２は、メニュー画面４１の選択された区画内に移動して停止する。
【００４５】
その後、キーマーク３３のいずれかに指を触れ、あるいは指５０でエリア表示３１内をタッピングする（速い速度で指５０を接触させ且つ離反させる動作を行う）ことにより、選択された区画に表示されているメニューに相当するソフトウエアが起動する。
【００４６】
なお、メニュー入力モードが設定されたときに、第１の操作領域６の検知を可能として、エリア表示３１に指５０を触れてスライドさせることを検知し、さらにタッピングしたことを検知できるようにし、このとき第２の操作領域７での操作箇所の検出を、データ処理部２１において無視するように設定してもよい。これは、図３に示すセンサ１０の第１の領域１２での電極間の静電容量の変化のみを有効にし、第２の領域での電極間の静電容量の変化を無視することで実行できる。このように構成すると、第１の操作領域６を操作する動作モードのときに、指や手のひらが第２の操作領域７に触れたとしても、電子機器１が誤った動作を行うことがなくなる。
【００４７】
なお、前記メニュー入力モードなどにおいて、表示領域３にポインタ表示４２を表示する代わりに、第１の操作領域６に指５０を触れて相対座標出力を生成したときに、その操作箇所の移動方向および移動距離に応じて、メニュー画面４１の各区画をハイライト表示させてもよい。
【００４８】
図７は、電子機器１が文字入力モードに設定された状態を示している。文字入力モードは、例えばキーマーク３３のいずれかに指を触れることにより設定される。文字入力モードが設定されると、表示領域３に文字入力画面４５が表示される。筐体２の前面２ａにおいて、指５０を第２の操作領域７に触れると、その操作箇所がＸ−Ｙ座標上の位置データを含む絶対座標出力として中央制御処理部２２に与えられる。したがって、第２の操作領域７において、指５０を矢印Ｘａで示すように横方向へスライドさせると、表示領域３に横方向へ延びる線４６ｘが表示される。その後、指５０を第２の操作領域７から離し、指５０を上へ移動して再度第２の操作領域７に触れ、矢印Ｙａで示すように下向きにスライドすると、表示領域３に縦方向へ延びる線４６ｙが表示される。
【００４９】
上記の操作を行うことにより、表示領域３に文字を記入することができる。文字の記入後に、いずれかのキーマーク３３に指を触れ、あるいは指５０で第２の操作領域７をタッピングすると、文字入力が確定する。そして、電子機器１内の中央制御処理部２２では、データ処理部２１から与えられた絶対座標出力に基づいて、入力した文字を認識する。このとき、指５０の操作で部首のみ記入して文字入力を完了させ、その後は中央制御処理部２２において、入力された部首を有する文字を抽出して表示画面に表示させるようにしてもよい。このとき、複数の文字が、図６に示すメニュー表示モードと同様に、表示画面３上に配列して表示される。そして、第１の操作領域６での操作入力が有効になり、エリア表示３１に接触させた指５０をいずれかの方向へスライドさせることにより、複数の文字のいずれかを選択できる。選択後にキーマーク３３のいずれかに指を触れ、あるいは指５０でエリア表示３１をタッピングすることにより、文字の選択確定を行うことができる。
【００５０】
なお、第２の操作領域７を指５０で操作して文字入力など行う際に、センサ１０からの第１の操作領域６での指５０の検知信号を無視し、第２の操作領域７での検出動作のみを有効にすることが好ましい。このように構成することにより、文字入力中に指が第１の操作領域６に触れたとしても、文字入力に悪影響を与えることを防止できる。
【００５１】
また、通常の番号入力や、メニュー選択確定などにおいて、キーマーク３３を押圧操作する必要があるときには、第２の操作領域７において、キーマーク３３が付されている部分のみで、操作箇所の検出を有効とし、キーマーク３３から外れた位置に指５０が触れ、センサ１０からその検知信号が得られたときには、データ処理部２１または中央制御処理部２２では、その検知信号を無視するように設定される。これにより、指が複数のキーマーク３３のいずれかに触れたことを絶対座標出力により検出でき、キーマーク３３の表示に応じて数字の入力などを行うことができる。
【００５２】
なお、本発明の各実施の形態のセンサ１０では、基板１１に、Ｘ電極とＹ電極と、さらに検出電極が設けられ、Ｘ電極とＹ電極に順番に電圧が印加され、検出電極の出力に基づいて静電容量の変化を検出するものとして説明したが、本発明の入力装置を構成するセンサは、静電容量を検出できる構成であればどのようなものであってもよく、例えば、Ｘ電極とＹ電極およびアース電極とを備え、Ｘ電極とアース電極間の静電容量の変化、およびＹ電極とアース電極間の静電容量の変化を検出するものであってもよい。
【００５３】
また本発明の入力装置をパーソナルコンピュータの操作面に配置し、第１の領域１２の操作により、マウスの動作と同じ相対座標出力をオペレーションシステム（ＯＳ）に与え、文字入力モードなどでは、第２の領域１３を操作することにより、絶対座標主力をＯＳに与えるようにしてもよい。また、データ処理部２１への設定を外部操作で行えるようにしておき、第１の領域１２と第２の領域１３の検知区画の面積や位置を任意に設定できるようにしてもよい。
【図面の簡単な説明】
【００５４】
【図１】本発明の実施の形態の電子機器を示す正面図、
【図２】図１に示す電子機器をＩＩ−ＩＩ線で切断した部分断面図、
【図３】電子機器に備えられた入力装置の構成を示す説明図、
【図４】電子機器の回路ブロック図
【図５】入力装置に設けられたデータ処理部２１での処理動作を示すフローチャート、
【図６】相対座標入力モードでの操作例を示す電子機器の正面図、
【図７】絶対相対座標入力モードでの操作例を示す電子機器の正面図、
【符号の説明】
【００５５】
１  電子機器
２  筐体
２ａ  前面
３  表示領域
４  カバー板
５  表示パネル
６  第１の操作領域
７  第２の操作領域
１０  センサ
１１  基板
１５  Ｘドライバー
１６  Ｙドライバー
１７  入力部
２０  センサ制御部
２１  データ処理部
２２  中央制御処理部
３１  エリア表示
３３  キーマーク
【図１】
2007164470.tif 000003
【図２】
2007164470.tif 000004
【図３】
2007164470.tif 000005
【図４】
2007164470.tif 000006
【図５】
2007164470.tif 000007
【図６】
2007164470.tif 000008
【図７】
2007164470.tif 000009